(57)【要約】  本ディスクブレーキは、ソレノイドアクチュエータの駆動により、回転軸（ラチェットギヤ）の回転を規制して制動力を保持する制動力保持機構を備え、制動力保持機構は、ソレノイドアクチュエータの駆動により移動して、ラチェットギヤの回転を規制する保持部材と、該保持部材に連結され、ギヤハウジング部に回動自在に支持されて保持部材の移動を抑制する係止部材と、を備えている。これにより、係止部材により、保持部材に対する外部からの加振力を相殺することができ、小型化を達成でき、コストを削減することができる。
2020217788.tif 000002
【特許請求の範囲】
【請求項１】
ディスクブレーキであって、前記ディスクブレーキは、電動モータからの駆動力を、伝達機構を介してピストンに伝達することにより、該ピストンを推進させて、制動部材を被制動部材に押圧し、
ソレノイドアクチュエータの駆動により、前記伝達機構の回転を規制して制動力を保持する制動力保持機構を備え、
前記制動力保持機構は、
前記ソレノイドアクチュエータの駆動により移動して、前記伝達機構の回転を規制する保持部材と、
該保持部材に連結され、ハウジングに回動自在に支持されて前記保持部材の移動を抑制する係止部材と、を備えるディスクブレーキ。
【請求項２】
前記係止部材は、前記保持部材が加振力の作用を受けるとき、前記加振力が作用する方向に対して逆方向の力を前記保持部材に作用させる請求項１に記載のディスクブレーキ。
【請求項３】
前記係止部材は、前記ソレノイドアクチュエータの駆動時、該ソレノイドアクチュエータの推進方向と逆方向にその重心が移動する請求項１または請求項２に記載のディスクブレーキ。
【請求項４】
前記保持部材を、前記伝達機構から離れる方向に付勢する弾性部材を備える請求項１から請求項３までのいずれか１項に記載のディスクブレーキ。
【請求項５】
前記係止部材は、前記保持部材に作用する加振力が前記弾性部材による付勢力を超えるとき、前記加振力が作用する方向に対して逆方向の力を前記保持部材に作用させる請求項１から請求項４までのいずれか１項に記載のディスクブレーキ。
【請求項６】
ディスクブレーキであって、前記ディスクブレーキは、電動モータからの駆動力を、伝達機構を介してピストンに伝達することにより、該ピストンを推進させて、制動部材を被制動部材に押圧し、
ソレノイドアクチュエータの駆動により、前記伝達機構の回転を規制して制動力を保持する制動力保持機構を備え、
前記制動力保持機構は、
前記ソレノイドアクチュエータの駆動により移動して、前記伝達機構の回転を規制する保持部材と、
該保持部材に連結され、前記保持部材の移動を抑制する係止部材と、を備え、
前記係止部材は、前記保持部材に連結される連結部と、ハウジングに回動自在に支持される支持部と、錘部と、を一体的に有し、
前記錘部は、前記支持部に対して前記連結部とは反対側に位置するディスクブレーキ。
【請求項７】
前記保持部材は、
前記伝達機構に設けられた歯車に係合可能な爪部と、
前記ソレノイドアクチュエータに設けられたプランジャに接続されるプランジャ接続部と、
前記爪部と前記プランジャ接続部との間に設けられ、平面視で湾曲状に延びる湾曲部と、を有し、
前記保持部材の前記湾曲部の内側に、前記係止部材の前記支持部が配置される請求項６に記載のディスクブレーキ。
【請求項８】
ディスクブレーキであって、前記ディスクブレーキは、電動モータからの駆動力を、伝達機構を介してピストンに伝達することにより、該ピストンを推進させて、制動部材を被制動部材に押圧し、
ソレノイドアクチュエータの駆動により、前記伝達機構の回転を規制して制動力を保持する制動力保持機構を備え、
前記制動力保持機構は、
前記ソレノイドアクチュエータの駆動により移動して、前記伝達機構の回転を規制する保持部材と、
該保持部材に連結され、前記保持部材の移動を抑制する係止部材と、を備え、
前記係止部材は、該係止部材の重心と、前記保持部材との連結部との間において、ハウジングに回動自在に支持されるディスクブレーキ。
【発明の詳細な説明】
【技術分野】
【０００１】
本発明は、車両の制動に用いられるディスクブレーキに関する。
【背景技術】
【０００２】
従来の、駐車ブレーキ機構を備えたディスクブレーキとして、例えば、特許文献１に記載された電動ディスクブレーキは、その駐車ブレーキ機構において、係合爪部材の質量と回動中心から係合爪部材の重心までの距離との積と、ソレノイドアクチュエータのプランジャの質量と回動中心からプランジャの重心までの距離との積とが、できるだけ等しくなるように、すなわち、係合爪部材及びこれに連結されたプランジャ等の可動部を含む全体の重心位置が、加速度ａの方向に平行で係合爪部材の回動中心を通る直線上のほぼ近傍に配置されるように構成されている。これにより、加速度ａに対して係合爪部材にはモーメント力Ｍが殆ど生じない（Ｍ≒０）ので、圧縮バネのバネ力、ソレノイドアクチュエータの推力及び保持力を小さく構成することができる。
【先行技術文献】
【特許文献】
【０００３】
【特許文献１】特開２００８−２４９０５７号公報
【発明の概要】
【発明が解決しようとする課題】
【０００４】
しかしながら、上述した特許文献１に係る電動ディスクブレーキでは、ソレノイドアクチュエータのプランジャの質量及び重心位置に合わせて、係合爪部材の質量及び重心位置を設定する必要があり、大型化する虞がある。また、大型化を抑制しようとすると、係合爪部材の質量を大きくする必要があり、そのために、複雑形状である係合爪部材が金属製に限られ、加工費が高くなってしまう。
【課題を解決するための手段】
【０００５】
本発明は、小型化を可能にして、コストを削減できるディスクブレーキを提供することを目的とする。【０００６】
本発明の一実施形態に係るディスクブレーキは、電動モータからの駆動力を、伝達機構を介してピストンに伝達することにより、該ピストンを推進させて、制動部材を被制動部材に押圧し、ソレノイドアクチュエータの駆動により、前記伝達機構の回転を規制して制動力を保持する制動力保持機構を備え、前記制動力保持機構は、前記ソレノイドアクチュエータの駆動により移動して、前記伝達機構の回転を規制する保持部材と、該保持部材に連結され、ハウジングに回動自在に支持されて前記保持部材の移動を抑制する係止部材と、を備える。【０００７】
また、本発明の一実施形態に係るディスクブレーキは、電動モータからの駆動力を、伝達機構を介してピストンに伝達することにより、該ピストンを推進させて、制動部材を被制動部材に押圧し、ソレノイドアクチュエータの駆動により、前記伝達機構の回転を規制して制動力を保持する制動力保持機構を備え、前記制動力保持機構は、前記ソレノイドアクチュエータの駆動により移動して、前記伝達機構の回転を規制する保持部材と、該保持部材に連結され、前記保持部材の移動を抑制する係止部材と、を備え、前記係止部材は、前記保持部材に連結される連結部と、ハウジングに回動自在に支持される支持部と、錘部と、を一体的に有し、前記錘部は、前記支持部に対して前記連結部とは反対側に位置する。【０００８】
さらに、本発明の一実施形態に係るディスクブレーキは、電動モータからの駆動力を、伝達機構を介してピストンに伝達することにより、該ピストンを推進させて、制動部材を被制動部材に押圧し、ソレノイドアクチュエータの駆動により、前記伝達機構の回転を規制して制動力を保持する制動力保持機構を備え、前記制動力保持機構は、前記ソレノイドアクチュエータの駆動により移動して、前記伝達機構の回転を規制する保持部材と、該保持部材に連結され、前記保持部材の移動を抑制する係止部材と、を備え、前記係止部材は、該係止部材の重心と、前記保持部材との連結部との間において、ハウジングに回動自在に支持される。【０００９】
本発明の一実施形態に係るディスクブレーキによれば、小型化を可能にして、コストを削減することができる。
【図面の簡単な説明】
【００１０】
【図１】本実施形態に係るディスクブレーキの要部断面図。
【図２】図１の要部拡大図。
【図３】本実施形態に係るディスクブレーキのハウジング内を示す斜視図。
【図４】本実施形態に係るディスクブレーキに採用したパーキングブレーキ手段の分解斜視図。
【図５】本実施形態に係るディスクブレーキに採用したパーキングブレーキ手段が第２ハウジング内に装着された状態の平面図。
【図６】パーキングブレーキ手段の、他の実施形態に係る制動力保持機構の平面図。
【図７】パーキングブレーキ手段の、さらに他の実施形態に係る制動力保持機構の平面図。
【発明を実施するための形態】
【００１１】
以下、本実施形態を図１乃至図７に基づいて詳細に説明する。
本実施形態に係るディスクブレーキ１は、通常走行時、電動モータ４０の駆動によって制動力を発生させる電動ブレーキ装置である。なお、以下の説明において、車両内側（インナ側）を一端側（カバー部材３９側）と称し、車両外側（アウタ側）を他端側（ディスクロータＤ側）と称して、適宜説明する。つまり、図１及び図２において、右側を一端側と称し、左側を他端側として称して、適宜説明する。
【００１２】
本実施形態に係るディスクブレーキ１は、図１に示すように、車両の回転部に取り付けられた、被制動部材としてのディスクロータＤを挟んで軸方向両側に配置された、制動部材としての一対のインナブレーキパッド２、及びアウタブレーキパッド３と、キャリパ４と、を備えている。本ディスクブレーキ１は、キャリパ浮動型として構成されている。なお、一対のインナブレーキパッド２及びアウタブレーキパッド３と、キャリパ４とは、車両のナックル等の非回転部に固定されたブラケット５にディスクロータＤの軸方向へ移動可能に支持されている。
【００１３】
図１に示すように、キャリパ４は、キャリパ４の主体であるキャリパ本体８と、電動モータ４０からの回転をキャリパ本体８のシリンダ部１３内のピストン１８に伝達して、該ピストン１８に推力を付与する伝達機構９と、を備えている。キャリパ本体８は、インナブレーキパッド２に対向する基端側に配置され、該インナブレーキパッド２に対向して開口する円筒状のシリンダ部１３と、シリンダ部１３からディスクロータＤを跨いでアウタ側へ延び、アウタブレーキパッド３に対向する、先端側に配置される一対の爪部１４、１４と、を備えている。
【００１４】
キャリパ本体８のシリンダ部１３内、すなわちシリンダ部１３のシリンダボア１６に、ピストン１８がシリンダ部１３に対して相対回転不能に、且つ軸方向に移動可能に収容されている。ピストン１８は、インナブレーキパッド２を押圧するものであって、有底のカップ状に形成される。該ピストン１８は、その底部がインナブレーキパッド２に対向するように、シリンダ部１３のシリンダボア１６内に収容されている。ピストン１８は、その底部とインナブレーキパッド２との間の回り止め係合によって、シリンダボア１６、ひいてはキャリパ本体８に対して相対回転不能に支持される。
【００１５】
シリンダ部１３のシリンダボア１６には、その他端側内周面にシール部材（図示略）が配置されている。そして、ピストン１８は、このシール部材に接触した状態で軸方向に移動可能にシリンダボア１６に収容される。ピストン１８の底部側の外周面と、シリンダボア１６の他端側内周面との間にはダストブーツ２０が介装されている。これらシール部材及びダストブーツ２０により、シリンダ部１３のシリンダボア１６内への異物の侵入を防ぐようにしている。
【００１６】
キャリパ本体８のシリンダ部１３の底壁２３側（一端側）には、ギヤハウジング２５が一体的に連結される。このギヤハウジング２５の内部に、後述する、電動モータ４０、平歯多段減速機構４１及び遊星歯車減速機構４２が配置されている。ギヤハウジング２５は、主に電動モータ４０を収容する第１ギヤハウジング部２７と、主に遊星歯車減速機構４２を収容する第２ギヤハウジング部２８と、を備えている。第１ギヤハウジング部２７は、電動モータ４０が収容されるモータハウジング部２７Ａと、該モータハウジング部２７Ａ内の電動モータ４０から延びる回転軸４０Ａが配置されるギヤハウジング部２７Ｂとで構成されている。図３から解るように、ギヤハウジング部２７Ｂには、後述する平歯多段減速機構４１のピニオンギヤ４７に近接する位置に、後述する制動力保持機構１５２Ａの圧縮コイルバネ１５９を収容するための収容凹部３５が形成される。また、ギヤハウジング部２７Ｂには、収容凹部３５に近接する位置に、一端側に向かって支持ピン３６が突設されている。さらに、ギヤハウジング部２７Ｂには、収容凹部３５に近接する位置に、後述する制動力保持機構１５２Ａのソレノイドアクチュエータ１５５を収容するための収容部３７が形成される。
【００１７】
図１に示すように、第２ギヤハウジング部２８には、その他端側からシリンダ部１３の底壁２３が一体的に連結される。その結果、シリンダ部１３と、第１ギヤハウジング部２７のモータハウジング部２７Ａ（電動モータ４０）とが、略平行に並ぶように配置される。第２ギヤハウジング部２８には、後述するスピンドル９３を含むキャリア７２の小径円筒状部８６が挿通される挿通孔２９が形成される。第２ギヤハウジング部２８の底面からは、後述するインターナルギヤ７１の径方向の移動を規制する円筒状拘束部３２が突設される。該円筒状拘束部３２の径方向外側には、該円筒状拘束部３２と対向する壁面との間に環状溝部３３が形成される。円筒状拘束部３２と対向する壁面には、周方向に間隔を置いて複数の係合凹部（図示略）が形成される。該円筒状拘束部３２には、後述する第１減速歯車４８の大径歯車５３との干渉を避けるように切欠き部（図示略）が形成されている。ギヤハウジング２５の一端側開口は、カバー部材３９により閉塞されている。当該カバー部材３９は、気密的にギヤハウジング２５に取り付けられている。
【００１８】
電動モータ４０からの回転は、伝達機構９を介してピストン１８に伝達される。伝達機構９は、電動モータ４０からの回転軸４０Ａと、電動モータ４０からの回転トルクを増力する平歯多段減速機構４１及び遊星歯車減速機構４２と、当該遊星歯車減速機構４２からの回転を直線運動に変換して、ピストン１８に推力を付与する回転直動変換機構４３と、を備えている。図２も参照して、電動モータ４０は、上述したように、第１ギヤハウジング部２７のモータハウジング部２７Ａ内に配置され、その回転軸４０Ａがギヤハウジング部２７Ｂの貫通孔３８に挿通されて、ギヤハウジング部２７Ｂ内に延びている。平歯多段減速機構４１は、ピニオンギヤ４７と、第１減速歯車４８と、第２減速歯車４９と、を備えている。第１減速歯車４８及び第２減速歯車４９は、金属、あるいは、繊維強化樹脂等の樹脂にて構成される。
【００１９】
図２に示すように、ピニオンギヤ４７は、筒状に形成されて、電動モータ４０の回転軸４０Ａに圧入固定される。第１減速歯車４８は、段付歯車で構成されている。該第１減速歯車４８は、ピニオンギヤ４７に噛合する大径の大径歯車５３と、大径歯車５３から同心状に一端側に向かって軸方向に延びる小径の小径歯車５４と、を備えている。当該第１減速歯車４８は、その大径歯車５３が、第２ギヤハウジング部２８の円筒状拘束部３２に設けた切欠き部（図示略）、及びインターナルギヤ７１の円筒状壁部８０に設けた切欠き部(図示略)内に入り込むようにして、第１ギヤハウジング部２７及び第２ギヤハウジング部２８を跨ぐようにして配置されている。その結果、第１減速歯車４８の大径歯車５３の外周面は、後述するキャリア７２の大径円環板状部８５の外周面に対向して近接して配置される。第１減速歯車４８は、支持ロッド６０が回転自在に支持される。この支持ロッド６０は、第１ギヤハウジング部２７のギヤハウジング部２７Ｂに圧入固定される。小径歯車５４の軸方向長さは、大径歯車５３の軸方向長さよりも相当長く形成される。小径歯車５４の軸方向長さは、後述する第２減速歯車４９の大径歯車５７の軸方向長さと略同じである。
【００２０】
第１減速歯車４８の小径歯車５４は、第２減速歯車４９と噛合している。当該第２減速歯車４９は、第１減速歯車４８の小径歯車５４と噛合する大径の大径歯車５７と、大径歯車５７から同心状に他端側に向かって軸方向に延びる小径のサンギヤ５８と、を備えている。第２減速歯車４９は、第２ギヤハウジング部２８内に収容される。第２減速歯車４９の径方向中央部には、軸方向に貫通する貫通孔６２が形成される。サンギヤ５８は、遊星歯車減速機構４２の一部として構成される。大径歯車５７とサンギヤ５８とは、その軸方向長さが略同じである。大径歯車５７の内周面とサンギヤ５８の外周面との間には、環状の空間６３が形成される。第２減速歯車４９の大径歯車５７の一端とサンギヤ５８の一端とは、環状の円環状壁部６５により接続される。この円環状壁部６５の他端側の面でその外周端寄りに、遊星歯車減速機構４２側（他端側）に突出する環状のストッパ部６６が形成されている。
【００２１】
遊星歯車減速機構４２は、第２減速歯車４９のサンギヤ５８と、複数個（本実施形態では５個）のプラネタリギヤ７０と、インターナルギヤ７１と、を備えている。遊星歯車減速機構４２からの回転、すなわち各プラネタリギヤ７０からの回転がキャリア７２に伝達される。各プラネタリギヤ７０は、サンギヤ５８及びインターナルギヤ７１の内歯７８に噛合する歯車７５と、キャリア７２から立設されるピン９０が回転自在に挿通される孔部７６と、を有している。各プラネタリギヤ７０は、サンギヤ５８の周りに周方向に沿って等間隔に配置される。詳しくは、各プラネタリギヤ７０は、大径歯車５７の内周面とサンギヤ５８の外周面との間の環状の空間６３に周方向に沿って等間隔で配置され、その歯車７５がサンギヤ５８及びインターナルギヤ７１の内歯７８に噛合している。
【００２２】
インターナルギヤ７１は、各プラネタリギヤ７０の歯車７５とそれぞれ噛合する内歯７８と、該内歯７８の一端から連続して径方向中心に延び、各プラネタリギヤ７０の軸方向の移動を規制する環状壁部７９と、内歯７８から他端側に向かって延びる円筒状壁部８０と、を備えている。インターナルギヤ７１の内歯７８の部位が、第２減速歯車４９の大径歯車５７の内周面と、各プラネタリギヤ７０との間に配置される。その結果、第２減速歯車４９は、インターナルギヤ７１に対して回転自在に支持される。なお、インターナルギヤ７１の内歯７８の部位と、各プラネタリギヤ７０と、サンギヤ５８とは、その他端側の面が略同一平面上に位置する。インターナルギヤ７１の円筒状壁部８０には、径方向外方に突設する係合凸部（図示略）が周方向に間隔を置いて複数形成される。
【００２３】
インターナルギヤ７１の円筒状壁部８０には、その周方向の一部に、第１減速歯車４８の大径歯車５３との干渉を避けるように切欠き部（図示略）が形成される。そして、インターナルギヤ７１の円筒状壁部８０の一端面を、第２ギヤハウジング部２８の底面に当接させつつ、その円筒状壁部８０の内周面を第２ギヤハウジング部２８の円筒状拘束部３２の外周面に当接させると共に円筒状壁部８０から突設された各係合凸部を第２ギヤハウジング部２８の壁面に設けた各係合凹部に係合する。また、インターナルギヤ７１の一端側の面には、第２減速歯車４９の円環状壁部６５に設けた環状のストッパ部６６が当接される。その結果、インターナルギヤ７１は、その径方向及び軸方向の移動が規制されると共に、ギヤハウジング２５に対して相対回転不能に支持される。
【００２４】
キャリア７２は、大径円環板状部８５と、大径円環板状部８５から同心状に他端側に突設される小径円筒状部８６と、を備えている。キャリア７２は、その径方向略中央にスプライン孔部８７が軸方向に貫通するように形成される。大径円環板状部８５は、第２ギヤハウジング部２８の円筒状拘束部３２の内側に配置される。キャリア７２の大径円環板状部８５の外周側には、周方向に沿って間隔を置いて、各プラネタリギヤ７０と対応するように複数のピン用孔部８９が形成されている。各ピン用孔部８９にピン９０がそれぞれ圧入固定されている。各ピン９０が、各プラネタリギヤ７０の孔部７６に回転自在にそれぞれ挿通されている。キャリア７２の小径円筒状部８６は、第２ギヤハウジング部２８の挿通孔２９に挿通される。
【００２５】
スピンドル９３は、キャリア７２からの回転が伝達され、その回転トルクを回転直動変換機構４３に伝達するものである。スピンドル９３は、その一端にキャリア７２のスプライン孔部８７と係合するスプライン軸部９６が一体的に接続されている。スピンドル９３は、シリンダボア１６内に延び、回転直動変換機構４３に連結されている。スピンドル９３のスプライン軸部９６が、キャリア７２のスプライン孔部８７に係合することで、キャリア７２とスピンドル９３との間で互いに回転トルクを伝達することができる。
【００２６】
また、図２及び図４に示すように、第１ギヤハウジング部２７のギヤハウジング部２７Ｂ内にパーキングブレーキ手段１５０が設けられている。パーキングブレーキ手段１５０は、伝達機構９である回転軸４０Ａの一端に圧入固定されるラチェットギヤ１５１と、ソレノイドアクチュエータ１５５の駆動により、ラチェットギヤ１５１の、制動力を解除する方向への回転を規制して制動力を保持する制動力保持機構１５２Ａと、を備えている。ラチェットギヤ１５１は、回転軸４０Ａの、ピニオンギヤ４７から突出した一端に圧入固定されている。制動力保持機構１５２Ａは、ソレノイドアクチュエータ１５５と、該ソレノイドアクチュエータ１５５の駆動により移動して、ラチェットギヤ１５１の、制動力を解除する方向への回転を規制する保持部材１５７Ａと、該保持部材１５７Ａに連結され、第１ハウジング２７のギヤハウジング部２７Ｂに設けた支持ピン３６に回動自在に支持されて、保持部材１５７Ａのラチェットギヤ１５１側への移動を抑制する係止部材１５８Ａと、保持部材１５７Ａをラチェットギヤ１５１から離れる方向に付勢する弾性部材としての圧縮コイルバネ１５９と、を備える。
【００２７】
ソレノイドアクチュエータ１５５は、プランジャ１５６を有している。図５も参照して、プランジャ１５６は、電動モータ４０の回転軸４０Ａと直交する方向で、且つカバー部材３９の長手方向（ギヤハウジング２５の長手方向）に沿って延びている。プランジャ１５６の先端には、環状鍔部１６５が形成される。ソレノイドアクチュエータ１５５は、通電することで、そのプランジャ１５６がソレノイドアクチュエータ１５５の本体内に没入するように移動する。なお、ソレノイドアクチュエータ１５５は、後述の制御基板１１６からの指令に基づいて作動する。
【００２８】
図４及び図５を参照して、保持部材１５７Ａは、複雑な形状を有しており、ラチェットギヤ１５１の歯車部１５１Ａに係合可能な爪部１６８と、ソレノイドアクチュエータ１５５のプランジャ１５６の環状鍔部１６５の内側に接続されるプランジャ接続部１６９と、爪部１６８とプランジャ接続部１６９との間に設けられ、平面視で湾曲状に延びる湾曲部１７０と、を一体的に有している。爪部１６８には、ソレノイドアクチュエータ１５５のプランジャ１５６の延びる方向と同じ方向に延びる軸部１７３が一体的に接続されている。軸部１７３には、爪部１６８と反対側端部に湾曲部１７０が一体的に接続されている。
【００２９】
湾曲部１７０は、軸部１７３から折り返すように平面視Ｕ字状に延び、その開放側がラチェットギヤ１５１側を向くように形成される。湾曲部１７０の端部にプランジャ接続部１６９が一体的に接続されている。プランジャ接続部１６９は、プランジャ１５６の環状鍔部１６５から内側の外周面をカバー部材３９側から取り巻くように支持すべく半円弧状に形成されている。軸部１７３には、カバー部材３９側（一端側）に向かって突設するピン１７５が一体的に接続されている。また、軸部１７３には、電動モータ４０側（他端側）に向かって突設する板状の押圧部１７６が一体的に接続されている。
【００３０】
係止部材１５８Ａは、板状部１８０と、板状部１８０の基端部からカバー部材３９側（一端側）に向かって延びる錘部１８１と、からなる略Ｌ字状に形成される。板状部１８０は、略矩形状に形成されており、その長手方向がプランジャ１５６の延びる方向と直交する方向に略一致する。板状部１８０の先端には、平面視Ｕ字状の係合溝部１８３が形成される。この係合溝部１８３に、保持部材１５７Ａのピン１７５が係合することで、両者１５８Ａ、１５７Ａが、互いにピン１７５を中心に回動自在に連結される。なお、該係合溝部１８３が、保持部材１５７Ａのピン１７５に係合して連結される連結部として作用する。
【００３１】
板状部１８０の長手方向略中央部には、支持孔１８４が形成される。この支持孔１８４に、第１ハウジング２７のギヤハウジング部２７Ｂに設けた支持ピン３６が挿通される。その結果、係止部材１５８Ａは、支持孔１８４（支持ピン３６）を中心に回動自在にギヤハウジング部２７Ｂに支持される。なお、当該支持孔１８４が、係止部材１５８Ａを第１ハウジング２７のギヤハウジング部２７Ｂに回動自在に支持するための支持部として作用する。錘部１８１は、断面Ｄ字状に形成される。錘部１８１の直線部位が板状部１８０側に指向する。係止部材１５８Ａの重心は、この錘部１８１の位置となる。錘部１８１は、支持孔１８４に対して係合溝部１８３の反対側に位置する。
【００３２】
そして、図３及び図５に示すように、ソレノイドアクチュエータ１５５を、第１ハウジング２７のギヤハウジング部２７Ｂの収容部３７に配置して、取付ボルト１８６により固定する。このとき、プランジャ１５６は、カバー部材３９の長手方向（ギヤハウジング２５の長手方向）に沿って延びる。また、図２も参照して、ギヤハウジング部２７Ｂの収容凹部３５に圧縮コイルバネ１５９を配置する。このとき、圧縮コイルバネ１５９の一端部が、ラチェットギヤ１５１に近接する、収容凹部３５の壁面３５Ａに当接するように配置する。また、圧縮コイルバネ１５９のカバー部材３９側（一端側）に保持部材１５７Ａを配置する。具体的には、保持部材１５７Ａを、その爪部１６８がラチェットギヤ１５１の外周面と対向するように配置して、その軸部１７３が圧縮コイルバネ１５９と重なるように配置する。また、保持部材１５７Ａの押圧部１７６が圧縮コイルバネ１５９の他端部に当接するように配置する。
【００３３】
また、保持部材１５７Ａの半円弧状のプランジャ接続部１６９を、プランジャ１５６の環状鍔部１６５から内側の外周面にカバー部材３９側から取り巻くように接続する。その結果、保持部材１５７Ａの湾曲部１７０の内側に、第１ハウジング２７のギヤハウジング部２７Ｂから突設された支持ピン３６が位置する。さらに、係止部材１５８Ａを保持部材１５７Ａのカバー部材３９側に、その板状部１８０の長手方向がプランジャ１５６の延びる方向と直交する方向に略一致するように配置する。そして、係止部材１５８Ａの板状部１８０の先端に設けた平面視Ｕ字状の係合溝部１８３内に、保持部材１５７Ａのピン１７５を係合して、両者１５８Ａ、１５７Ａを互いにピン１７５を中心に回動自在に連結する。また、保持部材１５７Ａの板状部１８０に設けた支持孔１８４内に、第１ハウジング２７のギヤハウジング部２７Ｂから突設された支持ピン３６を挿通して、支持ピン３６の先端部に抜け止めリング１８７を装着する。これにより、係止部材１５８Ａは、第１ハウジング２７のギヤハウジング部２７Ｂから突設された支持ピン３６を中心に回動自在に支持される。
【００３４】
このように構成することで、まず、保持部材１５７Ａは、平常時、圧縮コイルバネ１５９により、その爪部１６８がラチェットギヤ１５１から離れる方向に付勢される。また、この平常時に、保持部材１５７Ａに外部からの加振力が作用したときには、係止部材１５８Ａの錘部１８１により、保持部材１５７Ａに、外部からの加振力を相殺する力を作用させることができる。すなわち、保持部材１５７Ａに対して、その爪部１６８がラチェットギヤ１５１の外周面に向かう方向に加振力が作用するとき、係止部材１５８Ａに対して、支持孔１８４（支持ピン３６）を中心に図５において反時計周り方向に回動しようとする力、言い換えれば、係止部材１５８Ａの錘部１８１（重心）が、保持部材１５７Ａに加振力が作用する方向に対して逆方向に移動しようとする力が発生する。その結果、係止部材１５８Ａの錘部１８１により、保持部材１５７Ａに、その爪部１６８がラチェットギヤ１５１の外周面から離れる方向への力（爪部１６８がラチェットギヤ１５１の外周面に向かって移動するのを抑制する力）を作用させることができ、ひいては、係止部材１５８Ａの錘部１８１により、保持部材１５７Ａに対する外部からの加振力を相殺することができる。
【００３５】
この状況は、保持部材１５７Ａに付与される加振力が、圧縮コイルバネ１５９の付勢力を超えたときに発生する。次に、車両の停止状態を維持させるときにパーキングブレーキを作動させる際には、ソレノイドアクチュエータ１５５に通電することで、ソレノイドアクチュエータ１５５のプランジャ１５６が没入する。その結果、保持部材１５７Ａの爪部１６８が、圧縮コイルバネ１５９の付勢力に対抗するように、ラチェットギヤ１５１の外周面に向かって移動して、その歯車部１５１Ａに係合する。その際、係止部材１５８Ａは、支持ピン３６（支持孔１８４）を中心に図５において反時計周り方向に回動する。言い換えれば、係止部材１５８Ａは、ソレノイドアクチュエータ１５５の作動時、ソレノイドアクチュエータ１５５の推進方向（プランジャ１５６が没入する方向）と逆方向に錘部１８１（重心）が移動することになる。
【００３６】
図１及び図２に示すように、パーキングブレーキ手段１５０のラチェットギヤ１５１の一端側に回転角検出手段１０３が配置されている。回転角検出手段１０３は、電動モータ４０の回転軸４０Ａの回転角度を検出するものである。該回転角検出手段１０３は、磁石部材１０６と、磁気検出ＩＣチップ１０７と、を備えている。電動モータ４０の回転軸４０Ａの一端面には、圧入用凹部１０９が形成される。該圧入用凹部１０９に支持ロッド１１０が圧入固定される。当該支持ロッド１１０に、カップ状の支持部材１１３内に配置されたリング状の磁石部材１０６が支持される。当該磁石部材１０６の一端側に対向するように磁気検出ＩＣチップ１０７が配置されている。磁気検出ＩＣチップ１０７は、磁石部材１０６から発生する磁界の変化を検出するものである。当該磁気検出ＩＣチップ１０７は、制御基板１１６に取り付けられている。そして、回転軸４０Ａの回転に伴って回転する磁石部材１０６からの磁束の変化を磁気検出ＩＣチップ１０７により検出することで、制御基板１１６により、電動モータ４０の回転軸４０Ａの回転角度を演算して検出している。
【００３７】
図１に示すように、回転直動変換機構４３は、平歯多段減速機構４１及び遊星歯車減速機構４２からの回転運動、すなわちスピンドル９３の回転運動を直線運動（以下、便宜上直動という）に変換し、その直動部材（図示略）の移動によりピストン１８に推力を付与するものである。回転直動変換機構４３は、シリンダボア１６内であって、その底面とピストン１８との間に配置される。そして、キャリア７２の回転に伴ってスピンドル９３が回転すると、回転直動変換機構４３により、その直動部材が他端側に向かって前進することで、該ピストン１８が前進し、該ピストン１８によってインナブレーキパッド２をディスクロータＤに押し付けることができる。
【００３８】
電動モータ４０は、その駆動が制御基板１１６からの指令により制御される。通常走行における制動時には、当該制御基板１１６により、運転者の要求に対応した検出センサやブレーキが必要な様々な状況を検出する種々の検出センサ等からの検出信号、回転角検出手段１０３からの検出信号及び推力センサ（図示略）等からの検出信号に基づき、電動モータ４０の駆動を制御する。また、この制御基板１１６は、パーキングブレーキスイッチ（図示略）と電気的に接続されており、制御基板１１６からの指令によりソレノイドアクチュエータ１５５の作動が制御される。
【００３９】
次に、本実施形態に係るディスクブレーキ１において、通常走行における制動及び制動解除の作用について説明する。
通常走行における制動時には、制御基板１１６からの指令により、電動モータ４０が駆動されて、その正方向、すなわち制動方向の回転が、平歯多段減速機構４１を介して遊星歯車減速機構４２のサンギヤ５８に伝達される。該遊星歯車減速機構４２のサンギヤ５８の回転により、各プラネタリギヤ７０が自身の回転軸線を中心に自転しながら、サンギヤ５８の回転軸線を中心に公転することで、キャリア７２が回転する。すなわち、電動モータ４０からの回転が、平歯多段減速機構４１及び遊星歯車減速機構４２を経由することで所定の減速比で減速、増力されてキャリア７２に伝達される。そして、キャリア７２からの回転がスピンドル９３に伝達される。
【００４０】
続いて、キャリア７２の回転に伴ってスピンドル９３が回転すると、回転直動変換機構４３の作用により、その直動部材が前進してピストン１８を前進させる。このピストン１８が前進することで、インナブレーキパッド２をディスクロータＤに押し付ける。そして、ピストン１８によるインナブレーキパッド２への押圧力に対する反力により、キャリパ本体８がブラケット５に対してインナ側に移動して、各爪部１４、１４によってアウタブレーキパッド３をディスクロータＤに押し付ける。この結果、ディスクロータＤが一対のインナ及びアウタブレーキパッド２、３により挟みつけられて摩擦力が発生し、ひいては、車両の制動力が発生することになる。
【００４１】
一方、制動解除時には、制御基板１１６からの指令により、電動モータ４０の回転軸４０Ａが逆方向、すなわち制動解除方向に回転すると共に、その逆方向の回転が平歯多段減速機構４１及び遊星歯車減速機構４２を介してスピンドル９３に伝達される。その結果、スピンドル９３の逆方向への回転に伴って、回転直動変換機構４３の作用により、その直動部材が後退して初期状態に戻り、ディスクロータＤへの一対のインナ及びアウタブレーキパッド２、３による制動力が解除される。
【００４２】
次に、本実施形態に係るディスクブレーキ１において、パーキングブレーキの作動について説明する。
パーキングブレーキスイッチが操作されると、通常の制動時と同様に、制御基板１１６からの指令により、電動モータ４０が駆動されて、その正方向の回転が、平歯多段減速機構４１及び遊星歯車減速機構４２を経由してキャリア７２に伝達される。続いて、キャリア７２からの回転に伴ってスピンドル９３が回転すると、回転直動変換機構４３の作用により、ピストン１８が前進して、ディスクロータＤが一対のインナ及びアウタブレーキパッド２、３により挟みつけられて制動力が発生する。
【００４３】
この状態で、制御基板１１６からの指令により、ソレノイドアクチュエータ１５５に通電することで、ソレノイドアクチュエータ１５５のプランジャ１５６が没入する。その結果、保持部材１５７Ａの爪部１６８が、圧縮コイルバネ１５９の付勢力に対抗するように、ラチェットギヤ１５１の外周面に向かって移動して、その歯車部１５１Ａに係合する。その際、係止部材１５８Ａは、支持ピン３６（支持孔１８４）を中心に図５において反時計周り方向に回動して、ソレノイドアクチュエータ１５５の推進方向（プランジャ１５６が没入する方向）と逆方向に係止部材１５８Ａの錘部１８１（重心）が移動することになる。
【００４４】
なおこのとき、ラチェットギヤ１５１の歯車部１５１Ａと保持部材１５７Ａの爪部１６８とは、それぞれの頂部が互いに干渉して係合されない場合もあるために、次に、電動モータ４０を制動解除方向に回転させて、ラチェットギヤ１５１の歯車部１５１Ａと保持部材１５７Ａの爪部１６８とを確実に係合させる。そして、電動モータ４０への通電を停止し、一対のブレーキパッド４、５のディスクロータＤへの押圧力を確認した後、ソレノイドアクチュエータ１５５への通電を停止して、ラチェットギヤ１５１の歯車部１５１Ａと保持部材１５７Ａの爪部１６８との係合状態を保持する。これにより、電動モータ４０及びソレノイドアクチュエータ１５５への通電を停止した状態で制動状態を保持することができる。
【００４５】
次に、パーキングブレーキの作動を解除する場合には、ソレノイドアクチュエータ１５５には通電せずに、制御基板１１６からの指令により、電動モータ４０が制動方向へ僅かに回転されることにより、ラチェットギヤ１５１の歯車部１５１Ａと保持部材１５７Ａの爪部１６８との係合が緩み、圧縮コイルバネ１５９の付勢力によって、保持部材１５７Ａがその爪部１６８がラチェットギヤ１５１の外周面から離れる方向に移動して、ラチェットギヤ１５１の回転規制が解除されることで、電動モータ４０の制動解除方向への回転により、ピストン１８が後退して、一対のインナ及びアウタブレーキパッド４、５による制動力が解除される。
【００４６】
以上説明したように、本実施形態に係るディスクブレーキ１では、特に、制動力保持機構１５２Ａは、ソレノイドアクチュエータ１５５の駆動により移動して、ラチェットギヤ１５１の制動力を解除する方向への回転を規制する保持部材１５７Ａと、該保持部材１５７Ａに連結され、第１ハウジング２７のギヤハウジング部２７Ｂに設けた支持ピン３６に回動自在に支持されて、保持部材１５７Ａのラチェットギヤ１５１側への移動を抑制する係止部材１５８Ａ（錘部１８１）と、を備えている。
【００４７】
これにより、保持部材１５７Ａに対して、その爪部１６８がラチェットギヤ１５１の外周面に向かう方向に加振力が作用するとき、係止部材１５８Ａの錘部１８１により、その加振力を相殺する力を保持部材１５７Ａに作用させることができる。すなわち、保持部材１５７Ａに対して、その爪部１６８がラチェットギヤ１５１の外周面に向かう方向に加振力が作用するとき、係止部材１５８Ａが、支持孔１８４（支持ピン３６）を中心に図５において反時計周り方向に回動（係止部材１５８Ａの錘部１８１がラチェットギヤ１５１の外周面から離れる方向へ移動）しようとする力が作用する。その結果、係止部材１５８Ａの錘部１８１により、保持部材１５７Ａに、その爪部１６８がラチェットギヤ１５１の外周面から離れる方向への力、言い換えれば、爪部１６８がラチェットギヤ１５１の外周面に向かって移動するのを抑制する力を作用させることができ、結果として、係止部材１５８Ａの錘部１８１により、保持部材１５７Ａに対する外部からの加振力を相殺することができる。
【００４８】
この作用効果を得ることにより、保持部材１５７Ａの爪部１６８がラチェットギヤ１５１の外周面に向かう方向に作用する加振力に対抗すべく大きな付勢力を有する圧縮コイルバネ１５９を採用する必要がなく、圧縮コイルバネ１５９の付勢力を最大限小さくすることができ、小型化を達成することができる。また、圧縮コイルバネ１５９の付勢力を最大限小さくすることができるので、作動時のソレノイドアクチュエータ１５５の出力を小さくすることが可能になる。言い換えれば、ソレノイドアクチュエータ１５５は、圧縮コイルバネ１５９の付勢力（僅かな付勢力）に抗して、係止部材１５８Ａ及び保持部材１５７Ａを移動させるだけの出力を有する性能でよい。これにより、本実施形態に係るディスクブレーキ１に採用した制動力保持機構１５２Ａを従来よりも小型化することができ、制動力保持機構１５２Ａの専有スペースを縮小することができる。また、複雑な形状を有する保持部材１５７Ａを樹脂製にて成形することが可能になり、加工費を削減できコスト削減に貢献することができる。
【００４９】
さらに、本実施形態に係るディスクブレーキ１では、保持部材１５７Ａを、ラチェットギヤ１５１の回転への規制を解除する方向に付勢する圧縮コイルバネ１５９を備えているので、パーキングブレーキを解除するとき、容易に、保持部材１５７Ａの爪部１６８をラチェットギヤ１５１の外周面から離れる方向に移動させることができる。
さらにまた、本実施形態に係るディスクブレーキ１では、係止部材１５８Ａは、保持部材１５７Ａに連結される係合溝部１８３（連結部）と、ギヤハウジング部２７Ｂから突設される支持ピン３６に回転自在に支持される支持孔１８４（支持部）と、錘部１８１と、を一体的に有し、錘部１８１は、支持孔１８４に対して係合溝部１８３と反対側に位置する。これにより、保持部材１５７Ａに対して、その爪部１６８がラチェットギヤ１５１の外周面に向かう方向に加振力が作用するとき、容易に、係止部材１５８Ａにより、保持部材１５７Ａに、その爪部１６８がラチェットギヤ１５１の外周面から離れる方向への力を作用させることができる。
【００５０】
さらにまた、本実施形態に係るディスクブレーキ１では、保持部材１５７Ａは、ラチェットギヤ１５１の歯車部１５１Ａに係合可能な爪部１６８と、ソレノイドアクチュエータ１５５のプランジャ１５６に接続される半円弧状のプランジャ接続部１６９と、爪部１６８とプランジャ接続部１６９との間に設けられ、平面視湾曲状に延びる湾曲部１７０と、を有し、保持部材１５７Ａの湾曲部１７０の内側に、係止部材１５８Ａの板状部１８０に設けた支持孔１８４が配置される。これにより、制動力保持機構１５２Ａをコンパクトにすることができる。さらにまた、本実施形態に係るディスクブレーキ１では、係止部材１５８Ａは、該係止部材１５８Ａの錘部１８１（重心）と、保持部材１５７Ａと係合される係合溝部１８３（連結部）との間にて、ギヤハウジング部２７Ｂから突設される支持ピン３６に回動自在に支持される。これにより、制動力保持機構１５２Ａをコンパクトにすることができる。
【００５１】
次に、他の実施形態に係る制動力保持機構１５２Ｂを図６に基づいて説明する。
該他の実施形態に係る制動力保持機構１５２Ｂでは、伝達部材９である、平歯多段減速機構４１、遊星歯車減速機構４２または回転直動変換機構４３の回転部２００に孔部２０１（または窪み部）を設けている。当該孔部２０１にその先端が挿通可能な保持部材１５７Ｂとしてのストッパピン２０４を設ける。ストッパピン２０４が回転部２００の孔部２０１に挿通されることで、回転部２００の回転が規制される。ストッパピン２０４の基端部には、ソレノイドアクチュエータ１５５のプランジャ１５６の先端が連結されている。ストッパピン２０４は、孔部２０１から離れる方向に圧縮コイルバネ１５９により付勢されている。プランジャ１５６にはピン２０５が突設される。係止部材１５８Ｂは、板状部１８０と、板状部１８０の基端から立設される錘部１８１と、からなる略Ｌ字状に形成される。板状部１８０の先端には係合溝部１８３が形成される。該係合溝部１８３にピン２０５が係合され、係止部材１５８Ｂがプランジャ１５６にピン２０５を中心に回動自在に連結される。板状部１８０の長手方向中間部には支持孔１８４が形成される。この支持孔１８４にはハウジング等から突設された支持ピン（図示略）が回動自在に挿通されており、係止部材１５８Ｂは、支持孔１８４（支持ピン）を中心に回動自在にハウジング等に支持される。
【００５２】
そして、ソレノイドアクチュエータ１５５を作動させると、プランジャ１５６が突出すると共に、圧縮コイルバネ１５９の付勢力に対抗しながらストッパピン２０４を前進させることで、その先端部が回転部２００の孔部２０１に挿入されて、回転部２００の回転が規制される。このとき、ソレノイドアクチュエータ１５５のプランジャ１５６の突出に伴って、係止部材１５８Ｂは、支持孔１８４（支持ピン）を中心に図６において反時計周り方向に回動する。
【００５３】
以上説明した他の実施形態に係る制動力保持機構１５２Ｂにおいても、上述した本実施形態に係る制動力保持機構１５２Ａと同様に、ストッパピン２０４に対して、その先端部が回転部２００の孔部２０１に向かう方向に外部からの加振力が作用するときには、係止部材１５８Ｂの錘部１８１により、その加振力を相殺する力をストッパピン２０４に作用させることができる。すなわち、ストッパピン２０４に対して、その先端部が回転部２００の孔部２０１に向かう方向に加振力が作用するとき、係止部材１５８Ｂに対して、支持孔１８４（支持ピン）を中心に図６において反時計周り方向に回動（係止部材１５８Ｂの錘部１８１が回転部２００の孔部２０１から離れる方向に移動）しようとする力が作用する。
【００５４】
その結果、係止部材１５８Ｂの錘部１８１により、ストッパピン２０４に、その先端部が回転部２００の孔部２０１から離れる方向への力を作用させることができ、ひいては、係止部材の錘部１８１により、ストッパピン２０４に対する外部からの加振力を相殺することができる。これにより、当該制動力保持機構１５２Ｂを小型化することができ、コスト削減に貢献することができる。
【００５５】
次に、さらに他の実施形態に係る制動力保持機構１５２Ｃを図７に基づいて説明する。
さらに他の実施形態に係る制動力保持機構１５２Ｃにおいては、保持部材１５７Ｃは軸部材で構成される。保持部材１５７Ｃは、その軸方向一端に設けられ、ラチェットギヤ１５１の歯車部１５１Ａに係合可能な爪部１６８と、その軸方向他端に設けられ、係止部材１５８Ｃに係合されるピン２１０と、該ピン２１０に近接して設けられ、ソレノイドアクチュエータ１５５のプランジャ１５６に連結される連結部２１１と、連結部２１１と爪部１６８との間に設けられる支持孔２１２と、を有している。この支持孔２１２にハウジング等から突設された支持ピン（図示略）が挿通されることで、保持部材１５７Ｃは、支持孔２１２（支持ピン）を中心に回動自在にハウジング等に支持される。保持部材１５７Ｃの連結部２１１付近には、保持部材１５Ｃを支持孔２１２を中心に図７において時計周り方向に回動する方向に付勢する圧縮コイルバネ１５９が配置されている。
【００５６】
係止部材１５８Ｃは、板状部１８０と、板状部１８０の基端から立設される錘部１８１と、からなる略Ｌ字状に形成される。板状部１８０には、その先端に、保持部材１５７Ｃのピン２１０に係合される係合溝部１８３が形成される。板状部１８０の長手方向略中間部には、支持孔１８４が形成される。この支持孔１８４に、ハウジング等から突設された支持ピン（図示略）が挿通されており、係止部材１５８Ｃは、支持孔１８４（支持ピン）を中心に回動自在にハウジング等に支持される。
【００５７】
そして、ソレノイドアクチュエータ１５５を作動させると、プランジャ１５６が没入すると共に、保持部材１５７Ｃが、圧縮コイルバネ１５９の付勢力に対抗しながら支持孔２１２（支持ピン）を中心に図７において反時計周り方向に回動して、爪部１６８がラチェットギヤ１５１の歯車部１５１Ａに係合し、ラチェットギヤ１５１の回転が規制される。このとき、係止部材１５８Ｃは、支持孔１８４（支持ピン）を中心に図７において時計周り方向に回動する。
【００５８】
以上説明した、さらに他の実施形態に係る制動力保持機構１５２Ｃにおいても、上述した本実施形態に係る制動力保持機構１５２Ａと同様に、保持部材１５７Ｃに対して、その爪部１６８がラチェットギヤ１５１の外周面に向かう方向に外部からの加振力が作用したときには、係止部材１５８Ｃの錘部１８１（重心）により、その加振力を相殺する力を保持部材１５７Ｃに作用させることができる。すなわち、保持部材１５７Ｃに対して、その爪部１６８がラチェットギヤ１５１の外周面に向かう方向に加振力が作用するとき、保持部材１５７Ｃに対して、支持孔２１２（支持ピン）を中心に図７において反時計周り方向に回動しようとする力が作用して、また係止部材１５８Ｃに対して、支持孔１８４(支持ピン)を中心に図７において時計周り方向に回動しようとする力が作用する。
【００５９】
その結果、係止部材１５８Ｃの錘部１８１により、保持部材１５７Ｃに、その爪部１６８がラチェットギヤ１５１から離れる方向への力を作用させることができ、ひいては、係止部材１５８Ｃの錘部１８１により、保持部材１５７Ｃに対する外部からの加振力を相殺することができる。これにより、当該制動力保持機構１５２Ｃを小型化することができ、コスト削減に貢献することができる。
【００６０】
なお、以上の説明では、本実施形態が、電動ブレーキ装置としてのディスクブレーキ１に採用されているが、本実施形態を、通常走行の制動時には、キャリパ本体８のシリンダボア１６内に供給されるブレーキ液圧にて、ピストン１８を前進させることで、一対のインナ及びアウタブレーキパッド２、３により制動力が発生させ、駐車時等のパーキングブレーキ時にのみ、電動モータ４０からの駆動力を平歯多段減速機構４１、遊星歯車減速機構４２及び回転直動変換機構４３を介してピストン１８に伝達することで該ピストン１８を前進させて、一対のインナ及びアウタブレーキパッド２、３により制動力が発生させる、ディスクブレーキに採用してもよい。
【００６１】
以上説明した、本実施形態に基づくディスクブレーキ１として、例えば、以下に述べる態様のものが考えられる。
第１の態様は、ディスクブレーキ（１）であって、ディスクブレーキ（１）は、電動モータ（４０）からの駆動力を、伝達機構（４０Ａ）を介してピストン（１８）に伝達することにより、該ピストン（１８）を推進させて、制動部材（２、３）を被制動部材（Ｄ）に押圧し、ソレノイドアクチュエータ（１５５）の駆動により、前記伝達機構（４０Ａ）の回転を規制して制動力を保持する制動力保持機構（１５２Ａ）を備え、前記制動力保持機構（１５２Ａ）は、前記ソレノイドアクチュエータ（１５５）の駆動により移動して、前記伝達機構（４０Ａ）の回転を規制する保持部材（１５７Ａ）と、該保持部材（１５７Ａ）に連結され、ハウジング（２７Ｂ）に回動自在に支持されて前記保持部材（１５７Ａ）の移動を抑制する係止部材（１５８Ａ）と、を備える。
【００６２】
第２の態様は、第１の態様において、前記係止部材（１５８Ａ）は、前記保持部材（１５７Ａ）が加振力の作用を受けるとき、前記加振力が作用する方向に対して逆方向の力を前記保持部材（１５７Ａ）に作用させる。
第３の態様は、第１または第２の態様において、前記係止部材（１５８Ａ）は、前記ソレノイドアクチュエータ（１５５）の駆動時、該ソレノイドアクチュエータ（１５５）の推進方向と逆方向にその重心（１８１）が移動する。
第４の態様は、第１〜第３いずれかの態様において、前記保持部材（１５７Ａ）を、前記伝達機構（４０Ａ）から離れる方向に付勢する弾性部材（１５９）を備える。
第５の態様は、第１〜第４いずれかの態様において、前記係止部材（１５８Ａ）は、前記保持部材（１５７Ａ）に作用する加振力が前記弾性部材（１５９）による付勢力を超えるとき、前記加振力が作用する方向に対して逆方向の力を前記保持部材（１５７Ａ）に作用させる。
【００６３】
第６の態様は、ディスクブレーキ（１）であって、ディスクブレーキ（１）は、電動モータ（４０）からの駆動力を、伝達機構（４０Ａ）を介してピストン（１８）に伝達することにより、該ピストン（１８）を推進させて、制動部材（２、３）を被制動部材（Ｄ）に押圧し、ソレノイドアクチュエータ（１５５）の駆動により、前記伝達機構（４０Ａ）の回転を規制して制動力を保持する制動力保持機構（１５２Ａ）を備え、前記制動力保持機構（１５２Ａ）は、前記ソレノイドアクチュエータ（１５５）の駆動により移動して、前記伝達機構（４０Ａ）の回転を規制する保持部材（１５７Ａ）と、該保持部材（１５７Ａ）に連結され、前記保持部材（１５７Ａ）の移動を抑制する係止部材（１５８Ａ）と、を備え、前記係止部材（１５８Ａ）は、前記保持部材（１５７Ａ）に連結される連結部（１８３）と、ハウジング（２７Ｂ）に回動自在に支持される支持部（１８４）と、錘部（１８１）と、を一体的に有し、前記錘部（１８１）は、前記支持部（１８４）に対して前記連結部（１８３）とは反対側に位置する。
【００６４】
第７の態様は、第６の態様において、前記保持部材（１５７Ａ）は、前記伝達機構（４０Ａ）に設けられた歯車（１５１Ａ）に係合可能な爪部（１６８）と、前記ソレノイドアクチュエータ（１５５）に設けられたプランジャ（１５６）に接続されるプランジャ接続部（１６９）と、前記爪部（１６８）と前記プランジャ接続部（１６９）との間に設けられ、平面視で湾曲状に延びる湾曲部（１７０）と、を有し、前記保持部材（１５７Ａ）の前記湾曲部（１７０）の内側に、前記係止部材（１５８Ａ）の前記支持部（１８４）が配置される。
【００６５】
第８の態様は、ディスクブレーキ（１）であって、ディスクブレーキ（１）は、電動モータ（４０）からの駆動力を、伝達機構（４０Ａ）を介してピストン（１８）に伝達することにより、該ピストン（１８）を推進させて、制動部材（２、３）を被制動部材（Ｄ）に押圧し、ソレノイドアクチュエータ（１５５）の駆動により、前記伝達機構（４０Ａ）の回転を規制して制動力を保持する制動力保持機構（１５２Ａ）を備え、前記制動力保持機構（１５２Ａ）は、前記ソレノイドアクチュエータ（１５５）の駆動により移動して、前記伝達機構（４０Ａ）の回転を規制する保持部材（１５７Ａ）と、該保持部材（１５７Ａ）に連結され、前記保持部材（１５７Ａ）の移動を抑制する係止部材（１５８Ａ）と、を備え、前記係止部材（１５８Ａ）は、該係止部材（１５８Ａ）の重心（１８１）と、前記保持部材（１５７Ａ）との連結部（１８３）との間において、ハウジング（２７Ｂ）に回動自在に支持される。
【００６６】
なお、本発明は上記した実施形態に限定されるものではなく、様々な変形例が含まれる。例えば、上記した実施形態は本発明を分かりやすく説明するために詳細に説明したものであり、必ずしも説明した全ての構成を備えるものに限定されるものではない。また、ある実施形態の構成の一部を他の実施形態の構成に置き換えることが可能であり、また、ある実施形態の構成に他の実施形態の構成を加えることも可能である。また、各実施形態の構成の一部について、他の構成の追加・削除・置換をすることが可能である。
【００６７】
本願は、２０１９年４月２２日付出願の日本国特許出願第２０１９−０８１１２６号に基づく優先権を主張する。２０１９年４月２２日付出願の日本国特許出願第２０１９−０８１１２６号の明細書、特許請求の範囲、図面、および要約書を含む全開示内容は、参照により本願に全体として組み込まれる。
【符号の説明】
【００６８】
１  ディスクブレーキ，２  インナブレーキパッド（制動部材），３  アウタブレーキパッド（制動部材），１８  ピストン，４０  電動モータ，４０Ａ  回転軸（伝達機構），４１  平歯多段減速機構，４２  遊星歯車減速機構，４３  回転直動変換機構，１５０  パーキングブレーキ手段，１５１  ラチェットギヤ，１５１Ａ  歯車部，１５２Ａ、１５２Ｂ、１５２Ｃ  制動力保持機構，１５５  ソレノイドアクチュエータ，１５６  プランジャ，１５７Ａ、１５７Ｂ、１５７Ｃ  保持部材，１５８Ａ、１５８Ｂ、１５８Ｃ  係止部材，１５９  圧縮コイルバネ（弾性部材），１６８  爪部，１６９  プランジャ接続部，１７０  湾曲部，１８１  錘部，１８３  係合溝部（連結部），１８４  支持孔（支持部），Ｄ  ディスクロータ（被制動部材）
【図１】
2020217788.tif 000003
【図２】
2020217788.tif 000004
【図３】
2020217788.tif 000005
【図４】
2020217788.tif 000006
【図５】
2020217788.tif 000007
【図６】
2020217788.tif 000008
【図７】
2020217788.tif 000009
【国際調査報告】
2020217788.tif 000010
2020217788.tif 000011
2020217788.tif 000012
2020217788.tif 000013
2020217788.tif 000014
2020217788.tif 000015